(57)【要約】      （修正有）【課題】外れ止めから玉掛けワイヤーのリング部が外れることのない装着用ワイヤー外れ止め治具を提供する。【解決手段】外れ止め１４を有する外れ止め付きクレーンフック１０に取り付け可能にされて玉掛けワイヤー２２のリング部２４が外れ止め１４から外れるのを防止する装着用ワイヤー外れ止め治具２８であって、フック本体１２に掛け止めされる玉掛けワイヤー２２のリング部２４の径よりも大きな径を有し、かつ、無荷重時のリング部２４の荷重に対する非可撓性を有する外れ止め本体３０と、外れ止め本体３０に形成されてフック本体１２を挿通し、フック本体１２に外れ止め本体３０を装着可能にする装着孔とを有し、フック本体１２に掛け止めされたリング部２４と外れ止め１４との間に装着可能にされた。【選択図】図１
2009234696.tif 000002
【特許請求の範囲】
【請求項１】
クレーンに水平面内で旋回可能に取り付けられるフック本体と、前記フック本体に一体的に取り付けられて前記フック本体の鉤部の開口を閉じる方向に付勢され、前記鉤部に掛け止めされた玉掛けワイヤーのリング部が前記鉤部から外れるのを防止する外れ止めとを有する外れ止め付きクレーンフックに取り付け可能にされて前記玉掛けワイヤーのリング部が前記外れ止めから外れるのを防止する装着用ワイヤー外れ止め治具であって、
前記フック本体に掛け止めされる前記玉掛けワイヤーのリング部の径よりも大きな径を有し、かつ、無荷重時の前記リング部の荷重に対する非可撓性を有する外れ止め本体と、
前記外れ止め本体に形成されてフック本体を挿通し、前記フック本体に前記外れ止め本体を装着可能にする装着孔とを有し、
前記フック本体に掛け止めされたリング部と前記外れ止めとの間に装着可能にされたことを特徴とする装着用ワイヤー外れ止め治具。
【請求項２】
請求項１において、
前記装着孔は、前記外れ止め本体が前記フック本体の鍔部の開口を通過可能に外れ止め本体に対して偏芯した位置に設けられていることを特徴とする装着用ワイヤー外れ止め治具。
【請求項３】
請求項１または２において、
前記外れ止め本体は、前記装着孔を開閉して前記フック本体に対して脱着可能にする脱着部を有することを特徴とする装着用ワイヤー外れ止め治具。
【発明の詳細な説明】
【技術分野】
【０００１】
本発明は、外れ止めを有するクレーンのフック本体に装着してワイヤーが外れ止めから抜け出すのを防止する装着用ワイヤー外れ止め治具に関する。
【背景技術】
【０００２】
一般に、クレーンにはクレーンフックが取り付けられている。
【０００３】
このクレーンフックは、クレーンに水平面内で旋回可能にフック本体が設けられており、このフック本体の鉤部には玉掛けワイヤーのリング部を引っ掛けて吊り下げるための開口が形成された状態となっている。
【０００４】
このように、鉤部が開口状態になっていると、玉掛けワイヤーのリング部が開口から脱落するおそれがある。
【０００５】
そこで、安全面からフック本体の鉤部に掛けた玉掛けワイヤーのリング部の脱落を防止するための外れ止めを設けるようにしており、通常は、フック本体の首部に鉤部の湾曲方向と平行な垂直面内で回動して鉤部の開口を開閉する外れ止めを取り付けるようにしている（特許文献１、従来の技術参照）。
【特許文献１】特開２００５−２２８０６号公報
【発明の開示】
【発明が解決しようとする課題】
【０００６】
このようにフック本体の首部に鉤部の開口を開閉する外れ止めを取り付けた場合であっても、クレーン作業中に、振動や無荷重状態で玉掛けワイヤーが弛んだ際に、玉掛けワイヤーのリング部が回転して、外れ止めを外側より押し込み、リング部が外れてしまうことがある。
【０００７】
本発明の目的は、クレーン作業中に、振動や無荷重状態で玉掛けワイヤーが弛んだ場合でも外れ止めから玉掛けワイヤーのリング部が外れることのない装着用ワイヤー外れ止め治具を提供することにある。
【課題を解決するための手段】
【０００８】
前記目的を達成するため本発明の装着用ワイヤー外れ止め治具は、クレーンに水平面内で旋回可能に取り付けられるフック本体と、前記フック本体に一体的に取り付けられて前記フック本体の鉤部の開口を閉じる方向に付勢され、前記鉤部に掛け止めされた玉掛けワイヤーのリング部が前記鉤部から外れるのを防止する外れ止めとを有する外れ止め付きクレーンフックに取り付け可能にされて前記玉掛けワイヤーのリング部が前記外れ止めから外れるのを防止する装着用ワイヤー外れ止め治具であって、前記フック本体に掛け止めされる前記玉掛けワイヤーのリング部の径よりも大きな径を有し、かつ、無荷重時の前記リング部の荷重に対する非可撓性を有する外れ止め本体と、前記外れ止め本体に形成されてフック本体を挿通し、前記フック本体に前記外れ止め本体を装着可能にする装着孔とを有し、前記フック本体に掛け止めされたリング部と前記外れ止めとの間に装着可能にされたことを特徴とする。
【０００９】
本発明によれば、装着孔にフック本体を挿通させて外れ止め本体をリング部と外れ止めとの間に装着することで、振動や無荷重状態で玉掛けワイヤーに弛みが生じてリング部が回転しても、外れ止め本体はリング部の径よりも大きく、かつ、無荷重時のリング部の荷重によっては撓まない状態となっているので、リング部が外れ止め本体を乗り越えることがない。
【００１０】
したがって、リング部が回転しても、外れ止めを外側より押し込むことがなく、簡単な構成で、フック本体からリング部が外れるのを確実に防止することができる。
【００１１】
本発明においては、前記装着孔は、前記外れ止め本体が前記フック本体の鉤部の開口を通過可能に外れ止め本体に対して偏芯した位置に設けることができる。
【００１２】
このような構成とすることにより、装着孔にフック本体を挿通させる際に外れ止め本体が邪魔にならずに、容易かつ確実な装着を行うことができる。
【００１３】
本発明においては、前記外れ止め本体は、前記装着孔を開閉して前記フック本体に対して脱着可能にする脱着部を有するものとすることができる。
【００１４】
このような構成とすることにより、脱着部により装着孔を開いてフック本体に外れ止め本体を装着することにより、より簡単に外れ止め本体をフック本体に装着することができる。
【発明を実施するための最良の形態】
【００１５】
以下、本発明の実施の形態について、図面を参照して説明する。
【００１６】
図１及び図２は、本発明の一実施の形態にかかる装着用ワイヤー外れ止め治具を示す図である。
【００１７】
図１は、本実施の形態にかかる装着用ワイヤー外れ止め治具をクレーンフックに装着した状態を示す斜視図で、図２は図１の装着用ワイヤー外れ止め治具の正面図である。
【００１８】
図１において、クレーンフック１０は、フック本体１２と、外れ止め１４とを有している。
【００１９】
フック本体１２は、図示せぬクレーンに連結部１６を介して吊り下げ保持され、連結部１６に対しす平面内で旋回可能にされている。
【００２０】
また、このフック本体１２には、鉤部１８が形成され、この鉤部１８の開口２０より玉掛けワイヤー２２のリング部２４を差し込んでフック本体１２にリング部２４を掛け止め支持させるようになっている。
【００２１】
外れ止め１４は、フック本体１２の首部２６より垂下して一体的に取り付けられると共に、図示せぬばね等の付勢手段によりフック本体１２の鉤部１８の開口２０を内側から閉じる方向に付勢されて、鉤部１８に掛け止めされた玉掛けワイヤー２２のリング部２４が搬送中に鉤部１８から外れるのを防止するようになっている。
【００２２】
ところで、このように鉤部１８の開口２０を開閉する外れ止め１４を取り付けた場合であっても、クレーン作業中に、振動や無荷重状態で玉掛けワイヤー２２が弛んだ際に、玉掛けワイヤー２２のリング部２４が回転して、外れ止め１４を外側より押し込み、リング部２４が外れてしまうことがある。
【００２３】
そこで、本実施の形態では、フック本体１２に掛け止めされたリング部２４と外れ止め１４との間に装着用ワイヤー外れ止め治具２８を装着することで、リング部２４が回転して外れ止め１４を外側より押し込んでフック部１２より外れてしまうのを防止するようにしている。
【００２４】
この装着用ワイヤー外れ止め治具２８は、外れ止め本体３０と、装着孔３２とを有している。
【００２５】
外れ止め本体３０は、本実施の形態では、円形で板状のもの（円盤状物）とされているが、形状は矩形、多角形、楕円形等種々のものを採用可能である。
【００２６】
また、この外れ止め本体３０は、フック本体１２に掛け止めされる玉掛けワイヤー２２のリング部２４の径よりも大きな径を有するものとされ、リング部２４が外れ止め本体３０を乗り越えて外れ止め１４側に移動できないようにされている。
【００２７】
さらに、この外れ止め本体３０の材質は、木材、金属、プラスチック、硬質ゴム等の玉掛けワイヤー２２のリング部２４が回転した際に大きく変形しないようなもの、すなわち、無荷重時のリング部２４の荷重に対して非可撓性を有するものとされている。
【００２８】
装着孔３２は、外れ止め本体３０に貫通形成されたもので、フック本体１２を挿通し、フック本体１２に外れ止め本体３０を装着可能にしている。
【００２９】
この装着孔３２の大きさは、フック本体１２の太さに応じて変更できるようにしておくと良い。
【００３０】
また、装着孔３２は、外れ止め本体３０がフック本体１２の鉤部１８の開口２０を通過可能に外れ止め本体３０に対して偏芯した位置に設けるようにすることで、装着孔３２にフック本体１２を挿通させる際に外れ止め本体３０が邪魔にならずに、容易かつ確実な装着を行うことができるようにしている。
【００３１】
このような装着用外れ止め治具２８は、フック本体１２に玉掛けワイヤー２２のリング部２４を掛け止め支持させた後、装着孔３２にフック本体１２を挿通させれば、外れ止め本体３０をリング部２４と外れ止め１４との間に簡単に装着することができることとなる。
【００３２】
そして、この装着用外れ止め治具２８をフック本体１２に装着することで、振動や無荷重状態で玉掛けワイヤー２２に弛みが生じてリング部２４が回転しても、外れ止め本体３０はリング部２４の径よりも大きく、かつ、無荷重時のリング部２４の荷重によっては撓まない状態となっているので、リング部２４が外れ止め本体３０を乗り越えることがない。
【００３３】
したがって、リング部２４が回転しても、外れ止め１４を外側より押し込むことがなく、簡単な構成で、フック本体１２からリング部２４が外れるのを確実に防止することができる。
【００３４】
図３は、本発明の他の実施の形態にかかる装着用ワイヤー外れ止め治具を示す図である。
【００３５】
本実施の形態においては、外れ止め本体３０を、装着孔３２を跨ぐ状態で２つの分割片３０ａ、３０ｂに２分割し、装着孔３２側と反対側をヒンジ３４にて連結し、装着孔３２側を開閉可能にすると共に、装着孔３２側にロック３６を設けることで、フック本体１２に対して外れ止め本体３０脱着可能にする脱着部３８を形成するようにしている。
【００３６】
このようにことにより、脱着部３８により装着孔３２を開いてフック本体１２に外れ止め本体３０を装着することにより、より簡単に外れ止め本体３０をフック本体１２に装着することができることとなる。
【００３７】
他の構成及び作用は、前記実施の形態と同様につき説明を省略する。
【００３８】
本発明は、前記実施の形態に限定されるものではなく、本発明の要旨の範囲内において、種々の形態に変形可能である。
【００３９】
例えば、前記実施の形態では、装着孔を外れ止め本体に対して偏芯した位置に形成しているが、この例に限らず、同心位置に設けることも可能である。
【図面の簡単な説明】
【００４０】
【図１】本発明の一実施の形態にかかる装着用ワイヤー外れ止め治具をクレーンフックに装着した状態を示す斜視図である。
【図２】図１の装着用ワイヤー外れ止め治具の正面図である。
【図３】本発明の他の実施の形態にかかる装着用ワイヤー外れ止め治具の正面図である。
【符号の説明】
【００４１】
１０  クレーンフック
１２  フック本体
１４  外れ止め
１８  鉤部
２０  開口
２２  玉掛けワイヤー
２４  リング部
２８  装着用ワイヤー外れ止め治具
３０  外れ止め本体
３２  装着孔
３８  脱着部
【図１】
2009234696.tif 000003
【図２】
2009234696.tif 000004
【図３】
2009234696.tif 000005